(57)【要約】【課題】  建築終了後に柱を移設する必要が生じた場合であっても、横架材を取り外したり、柱を切断したりすることなく柱を移設することが可能な柱脚柱頭の接合方法を提供すること。【解決手段】  上部横架材１と下部横架材３の間に柱５をほぼ垂直に着脱可能に接合する柱脚柱頭の接合方法であって、前記柱５の上下端部にほぞ９，１３を形成し、これらほぞ９，１３が嵌合するほぞ穴１５，１７を前記上部横架材１及び下部横架材３にほぞの長さより長くなるように形成し、前記柱５の上下端部に形成されたいずれか一方のほぞ９，１３を上部横架材１及び下部横架材３のいずれか一方のほぞ穴１５，１７に嵌合したうえ、他方のほぞ１３側を、一方のほぞ９側を支点として前記上部横架材１及び下部横架材３を含む平面内で斜めに配置した状態から他方のほぞ穴１７側にほぼ垂直となるように回動させて該ほぞ穴１７に他方のほぞ１３を嵌合して接合することを特徴とする。【選択図】        図２
2005155279.tif 000002
【特許請求の範囲】
【請求項１】
上部横架材と下部横架材の間に柱をほぼ垂直に着脱可能に接合する柱脚柱頭の接合方法であって、前記柱の上下端部にほぞを形成し、これらほぞが嵌合するほぞ穴を前記上部横架材及び下部横架材にほぞの長さより長くなるように形成し、前記柱の上下端部に形成されたいずれか一方のほぞを上部横架材及び下部横架材のいずれか一方のほぞ穴に嵌合したうえ、他方のほぞ側を、一方のほぞ側を支点として前記上部横架材及び下部横架材を含む平面内で斜めに配置した状態から他方のほぞ穴側にほぼ垂直となるように回動させて該ほぞ穴に他方のほぞを嵌合して接合することを特徴とする柱脚柱頭の接合方法
【請求項２】
他方のほぞを他方のほぞ穴に嵌合した後、該ほぞとほぞ穴との間の間隙に固定材を嵌合する請求項１記載の柱脚柱頭の接合方法
【請求項３】
他方のほぞ穴は、一方のほぞ穴よりも長く形成されている請求項１又は２記載の柱脚柱頭の接合方法。
【請求項４】
他方のほぞ穴は、上部横架材及び下部横架材のいずれかにそのほぼ全長に渡り形成されている請求項１ないし３のいずれかに記載の柱脚柱頭の接合方法。
【発明の詳細な説明】
【技術分野】
【０００１】
本発明は、木造建築物における柱と梁、桁、胴差、土台等の横架材とを接合する柱脚柱頭の接合方法に関するものである。
【背景技術】
【０００２】
木造建築物において、柱を梁、桁、胴差、土台等の横架材に接合する方法としては、ほぞによる接合方法や、接合金具を使用する方法や、パイプ状の接合金物を使用する方法が知られている（例えば、特許文献１参照）。
【０００３】
【特許文献１】実用新案登録第３０８９５９８号公報（第２項、図４）
【発明の開示】
【発明が解決しようとする課題】
【０００４】
しかし、従来の方法においては、柱の両端にパイプ状の接合金物を埋め込んで固定し、横架材（梁）にこの接合金物を挿入する通孔を形成し、接合金物をこの通孔に嵌合した上で、横架材の側面から接合金物を貫通するようにピンを打つことにより、柱と横架材とが接合されているので、建築終了後に、リフォームや増改築のために柱を移設しようとすると、横架材を一度取り外すか、柱を切断する必要があり大規模な工事になってしまうという問題点が存在した。
【０００５】
そこで本発明は、従来の問題点を解決し、建築終了後に柱を移設する必要が生じた場合であっても、横架材を取り外したり、柱を切断したりすることなく柱を移設、新設、撤去等することが可能な柱脚柱頭の接合方法を提供することを課題とする。
【課題を解決するための手段】
【０００６】
前記課題を解決するために、請求項１に記載の発明は、上部横架材と下部横架材の間に柱をほぼ垂直に着脱可能に接合する柱脚柱頭の接合方法であって、前記柱の上下端部にほぞを形成し、これらほぞが嵌合するほぞ穴を前記上部横架材及び下部横架材にほぞの長さより長くなるように形成し、前記柱の上下端部に形成されたいずれか一方のほぞを上部横架材及び下部横架材のいずれか一方のほぞ穴に嵌合したうえ、他方のほぞ側を、一方のほぞ側を支点として前記上部横架材及び下部横架材を含む平面内で斜めに配置した状態から他方のほぞ穴側にほぼ垂直となるように回動させて該ほぞ穴に他方のほぞを嵌合して接合することを特徴とする。
【０００７】
請求項２に記載の発明は、請求項１記載の柱脚柱頭の接合方法において、他方のほぞを他方のほぞ穴に嵌合した後、該ほぞとほぞ穴との間の間隙に固定材を嵌合する。
請求項３に記載の発明は、請求項１又は２記載の柱脚柱頭の接合方法において、他方のほぞ穴は、一方のほぞ穴よりも長く形成されている。
【０００８】
請求項４に記載の発明は、請求項１ないし３のいずれかに記載の柱脚柱頭の接合方法において、他方のほぞ穴は、上部横架材及び下部横架材のいずれかにそのほぼ全長に渡り形成されている。前記において柱に形成したほぞに代え、ほぞパイプを用いてもよい。
【発明の効果】
【０００９】
本発明は、上部横架材と下部横架材の間に柱をほぼ垂直に着脱可能に接合する柱脚柱頭の接合方法であって、前記柱の上下端部にほぞを形成し、これらほぞが嵌合するほぞ穴を前記上部横架材及び下部横架材にほぞの長さより長くなるように形成し、前記柱の上下端部に形成されたいずれか一方のほぞを上部横架材及び下部横架材のいずれか一方のほぞ穴に嵌合したうえ、他方のほぞ側を、一方のほぞ側を支点として前記上部横架材及び下部横架材を含む平面内で斜めに配置した状態から他方のほぞ穴側にほぼ垂直となるように回動させて該ほぞ穴に他方のほぞを嵌合して接合するので、建築終了後に柱を移設する必要が生じた場合であっても、横架材を取り外したり、柱を切断したりすることなく柱を移設、新設、撤去等することが可能となる。
【発明を実施するための最良の形態】
【００１０】
以下、本発明の実施形態について、図面を参照して説明する。
（実施形態１）
図１は、柱と横架材との分解組立図、図２は柱と横架材とを結合する際の作用図、図３は、図２における上部ほぞと上部ほぞ穴との係合部付近の拡大断面図、図４は、横架材に設けられたほぞ穴の別の実施態様を示した斜視図である。
【００１１】
図１において、梁、桁、胴差等の上部横架材１と土台等の下部横架材３とは、互いに平行に配置されており、これらの両横架材１，３の間に柱５がほぞ差し結合により略垂直に立設されている。すなわち、柱５の上端である柱頭には、長さがｌ、幅がｗ、高さがｈの上部ほぞ９が形成されており、下端である柱脚には、上部ほぞ９と同形の下部ほぞ１３が形成されている。上部横架材１には長さｌよりも若干大きな長さＬ１を有し、幅及び深さが上部ほぞ９と略等しい上部ほぞ穴１５が形成されている。また、下部横架材３において、上部ほぞ穴１５に臨む面には、上部ほぞ穴１５の鉛直方向下方に、Ｌ１よりも長い長さＬ２（Ｌ２＞Ｌ１）を有し、幅及び深さが下部ほぞ１３と略等しい下部ほぞ穴１７が形成されている。ここで、上部ほぞ穴１５の長さＬ１方向の一端部１５ａと、下部ほぞ穴１７の長さＬ２方向の一端部１７ａとは、両横架材１，３がなす平面内において、両横架材１，３に対して垂直な１直線上に配置されている。
【００１２】
そして、柱５の上部ほぞ９が上部ほぞ穴１５に前記一端部１５ａに当接するように嵌合され、下部ほぞ１３が下部ほぞ穴１７に前記一端部１７ａに当接するように嵌合されることで、両横架材１，３の間に柱５が略垂直に接合されている。また、上部ほぞ穴１５と上部ほぞ９との間隙１９、及び、下部ほぞ穴１７と下部ほぞ１３との間の間隙２１には、それぞれ所定の長さを有する固定材２３，２５が嵌合されている。また、上部ほぞ９と上部ほぞ穴１５との嵌合部分、及び、下部ほぞ１３と下部ほぞ穴１７との嵌合部分には、それぞれ、上部横架材１及び下部横架材３の側面から、上部ほぞ９及び下部ほぞ１３を貫通する釘２７が打たれている。
【００１３】
続いて、図２を参照して、本実施形態の柱頭柱脚の接合方法について説明する。まず、所定サイズのほぞ穴１５，１７を有する上部横架材１及び下部横架材３を所定の間隔Ａを空けて互いに平行に配置する。続いて、図２の中で仮想線で示すように、柱５を両横架材１，３がなす平面内において、所定角度θだけ傾けた状態で配置したまま、上部ほぞ９を上部ほぞ穴１５に嵌合する。この際、上部ほぞ穴１５の長さＬ１は、上部ほぞ９の長さｌよりも長く形成されており、上部ほぞ９を上部ほぞ穴１５に嵌合した状態で長さ方向に遊びを有しているので、上部ほぞ穴１５に上部ほぞ９を嵌合した状態で、柱５を両横架材１，３がなす平面内において、傾けた状態に配置することが可能となる。そして、図２の中で実線で示すように、上部ほぞ穴１５に上部ほぞ９を嵌合した状態で、上部ほぞ９側を支点として、柱５を下部ほぞ穴１７側に略垂直となるように回動させて下部ほぞ穴１７に下部ほぞ１３を嵌合する。回動の際に下部ほぞ１３の先端は、上部ほぞ９付近を回転中心とし、下部ほぞ１３を含んだ柱５の長さ（両横架材１，３間の間隔Ａよりも大きい）を半径とする略円弧状の軌跡をなして移動する。
【００１４】
よって、下部ほぞ穴１７が設けられていなければ、下部ほぞ１３の先端は、下部横架材３の表面につかえてしまい、下部ほぞ１３を下部ほぞ穴１７に嵌合することができない。しかし、本実施形態では、下部ほぞ穴１７は上部ほぞ穴１５より長く形成されている（Ｌ２＞Ｌ１）ので、柱５を回動させていくと、下部ほぞ１３は、下部横架材３の表面につかえることなく、下部ほぞ穴１７に嵌り込み、下部ほぞ穴１７に案内されるように回動を続け、やがて、下部ほぞ穴１７に略垂直に嵌合される。続いて、両ほぞ穴１５，１７内で、上部ほぞ９を上部ほぞ穴１５の前記一端部１５ａに当接するように、下部ほぞ１３を下部ほぞ穴１７の前記一端部１７ａに当接するように、柱５の位置の微調整を行う。続いて、柱５の横からの力に対する耐力を高めるために、上部ほぞ穴１５と上部ほぞ９との間隙１９、及び、下部ほぞ穴１７と下部ほぞ１３との間の間隙２１に、それぞれ所定の長さを有する固定材２３，２５を嵌合し、接着剤等により固定する。さらに、柱５の横からの力に対する耐力を高めるために、上部横架材１及び下部横架材３の側面から、上部ほぞ９及び下部ほぞ１３を貫通するように釘２７を打ち、両ほぞ９，１３を固定する。このようにして、上部横架材１と下部横架材３との間に柱５がほぼ垂直に着脱可能に接合される。
【００１５】
逆に、建築終了後にリフォーム等により柱５を取り外す場合には、釘２７及び固定材２３，２５を除去し、柱５を上部ほぞ９側を支点として、上部横架材１方向に回動することにより、下部ほぞ１３と下部ほぞ穴１７との嵌合を外し、柱５を両横架材１，３がなす平面内において傾けた状態とした上で、上部ほぞ９と上部ほぞ穴１５との嵌合を外すことにより柱５を取り外す。
【００１６】
ここで、下部ほぞ穴１７の長さＬ２は、上部ほぞ９を上部ほぞ穴１５に嵌合した状態のまま柱５を回動させたときに、下部ほぞ１３の先端が下部横架材３の表面につかえることのない程度の長さとすることが好ましい。より具体的にその目安を求めると、図２に示したように、下部ほぞ穴１７と、実線で示した垂直に立設した柱５と、仮想線で示した斜めに配置された柱５とをそれぞれ３辺とする直角三角形を考えたときに、仮想線で示した斜めに配置された柱５である直角三角形の斜辺の長さは、略Ａ＋ｈとなる。また、実線で示した垂直に立設した柱５である辺の長さはＡであるので、ピタゴラスの定理より、Ａ2＋Ｌ２2＝（Ａ＋ｈ）2の関係が成り立ち、この関係より、下部ほぞ穴１７の長さＬ２は、Ｌ２＝（ｈ2＋２ｈＡ）1/2と求められる。よって、下部ほぞ穴１７の長さＬ２を（ｈ2＋２ｈＡ）1/2よりも大きくすることにより柱５を回動させたときに下部ほぞ１３の先端が下部横架材３の表面につかえることを防止できる。
【００１７】
また、上部ほぞ穴１５の長さＬ１は、図２に仮想線で示したように、下部ほぞ１３の先端が、下部横架材３の表面と同じ高さとなった状態において、上部ほぞ９が上部ほぞ穴１５の他端部１５ｂに接触しないような長さ以上の長さとすることが好ましい。より具体的にその目安を求めると、図３において、柱５が角度θだけ傾いた時に、下部ほぞ１３の先端が、下部横架材３の表面と同じ高さとなったとすると、上部ほぞ穴１５の深さは略ｈであるので、上部ほぞ９を上部ほぞ穴１５の他端部１５ｂに接触しないようにするためには、Ｌ１をｌ＋ｈｔａｎθ以上とすればよい。ここで、前述したように、ｔａｎθは、略Ｌ２／Ａ＝（ｈ2＋２ｈＡ）1/2／Ａであるので、Ｌ１はｌ＋ｈ（ｈ2＋２ｈＡ）1/2／Ａ以上とすればよい。
【００１８】
本実施形態においては、下部ほぞ穴１７は、長さＬ２の矩形状の凹溝とされていたが、図４に示すように、下部ほぞ穴１７を下部横架材３の全長にわたり形成してもよい。このようにすることにより、下部ほぞ穴１７の形成加工を、角ノミ加工から溝加工へと変更することができるので、下部ほぞ穴１７をより単純な加工で形成することができる。
【００１９】
また、本実施形態においては、下部ほぞ穴１７を上部ほぞ穴１５よりも長く形成し、上部ほぞ９側を支点として柱５を回動させることにより、下部ほぞ１３と下部ほぞ穴１７とを嵌合させたが、これとは逆に、上部ほぞ穴１５を下部ほぞ穴１７よりも長く形成し、下部ほぞ１３側を支点として柱５を回動させ、上部ほぞ９と上部ほぞ穴１５とを嵌合するようにしてもよい。また、両ほぞ穴１５，１７を長く形成し、建築現場の状況にあわせて、
どちらかの側を支点として柱５を回動するようにしてもよい。
【００２０】
また、本実施形態においては、上部ほぞ９と下部ほぞ１３とは同形とされているが、上部ほぞ９と下部ほぞ１３とは、寸法が異なっていてもよい。
【００２１】
また、柱５の横からの力に対する耐力を高めるために、上部ほぞ穴１５と上部ほぞ９との間隙１９、及び、下部ほぞ穴１７と下部ほぞ１３との間の間隙２１に、それぞれ所定の長さを有する固定材２３，２５を嵌合しているが、横方向の力に対する耐力がさほど問題とならない箇所に柱５を設ける場合には、固定材２３，２５を使用せずに釘２７のみで両ほぞ９，１３を固定してもよい。
【００２２】
このように本実施形態においては、上部横架材１に設けた上部ほぞ穴１５に柱５の上部ほぞ９を嵌合し、上部ほぞ９側を支点として柱５を上部横架材１及び下部横架材３がなす平面内において斜めに配置した状態から下部ほぞ穴１７側に回動して、下部ほぞ１３を下部ほぞ穴１７に嵌合して、柱頭柱脚を両横架材１，３に着脱可能に接合するので、建築時に柱を横架材に接合する際の労力を低減することが可能となる。また、建築終了後、リフォームや増改築等により柱５を移設、新設、撤去等しなければならない場合において、両横架材１，３を取り外したり、柱５を切断したりすることなく、柱５を取り外すことが可能となる。
【００２３】
また、柱５の両ほぞ９，１３と両ほぞ穴１５，１７との間の間隙には、固定材２３，２５が嵌合されているので、柱５の横からの力に対する耐力を高めることができる。
【００２４】
また、下部ほぞ穴１７は上部ほぞ穴１５よりも長く形成されているので、柱５を上部ほぞ９側を支点として回動する際に、柱５の下部ほぞ１３の先端が下部横架材３の表面につかえることがない。
【００２５】
（実施形態２）
図５は、実施形態２の柱と横架材との分解組立側面図である。実施形態２は、柱５の上部ほぞ９及び下部ほぞ１３に代えて、金属製パイプであるほぞパイプ２９，３１を用いた点が実施形態１と異なっている。すなわち、柱５の上端である柱頭には、上部ほぞパイプ２９が、柱５の上端面から突出するように設けられており、柱５の下端である柱脚には、下部ほぞパイプ３１が、柱５の下端面から突出するように設けられている。これらのほぞパイプ２９，３１は、柱５及びほぞパイプ２９，３１を貫通するドリフトピン３３によりそれぞれ柱５に固定されている。また、また、上部ほぞパイプ２９の上端付近には上部横架材１と柱５とを固定するドリフトピンを挿通するためのドリフトピン用穴３５が形成されている。同様に、下部ほぞパイプ３１の下端付近にもドリフトピン用穴３７が形成されている。上部横架材１には、上部ほぞ穴１５が形成されている。この上部ほぞ穴１５は、深さが上部ほぞパイプ２９の柱５からの突出高さに略等しく、幅が上部ほぞパイプ２９の外径に略等しく、長さが上部ほぞパイプ２９の外径よりも若干大きな長さを有している。また、下部横架材３の上部ほぞ穴１５に臨む面にも下部ほぞ穴１７が形成されている。下部ほぞ穴１７は、長さが、上部ほぞ穴１５よりも長く形成されている点を除けば、上部ほぞ穴１５と同じ寸法を有している。
【００２６】
また、上部横架材１の側面には、上部ほぞ穴１５に嵌合された上部ほぞパイプ２９のドリフトピン用穴３５に対応する箇所に、ドリフトピンを挿通するためのドリフトピン用穴３９が設けられている。同様に下部横架材３の側面にもドリフトピン用穴４１が設けられている。そして、柱５の上部ほぞパイプ２９を上部ほぞ穴１５に嵌合した上で、上部横架材１の側面のドリフトピン用穴３９からドリフトピン（不図示）を、上部横架材１及び上部ほぞパイプ２９を貫通するように嵌挿して上部横架材１と柱５とを固定する。同様に、下部ほぞパイプ３１を下部ほぞ穴１７に嵌合した上で、下部横架材３の側面のドリフトピン用穴４１からドリフトピン（不図示）を、下部横架材３及び下部ほぞパイプ３１を貫通するように嵌挿して下部横架材３と柱５とを固定する。このようにして、両横架材１，３の間に柱５が略垂直に接合されている。また、下部ほぞ穴１７と下部ほぞパイプ３１との間の間隙には、所定の長さを有する固定材４３が嵌合されている。
【００２７】
ここで、この下部ほぞ穴１７の長さＬ２は、上部ほぞパイプ２９を上部ほぞ穴１５に嵌合した状態のまま柱５を回動させたときに、下部ほぞパイプ３１の先端が下部横架材３の表面につかえることのない程度の長さとされている。上部ほぞ穴１５の長さＬ１は、上部ほぞパイプ２９を上部ほぞ穴１５に嵌合した状態のまま柱５を回動させたときに、下部ほぞパイプ３１の先端が、下部横架材３の表面と同じ高さとなった状態において、上部ほぞパイプ２９が上部ほぞ穴１５の他端部１５ｂに接触しないような長さ以上の長さとされている。
【００２８】
本実施形態の柱頭柱脚の接合方法は、柱５の上部ほぞ９及び下部ほぞ１３に代えて、パイプ状のほぞパイプ２９，３１を用いた点、及び、上部ほぞパイプ２９と上部ほぞ穴１５との間隙に固定材を嵌合しない点を除けば、実質的に実施形態１と同様であるので、その説明を省略する。
【００２９】
このように、本実施形態においては、上部横架材１に設けた上部ほぞ穴１５に柱５の上部ほぞパイプ２９を嵌合し、上部ほぞパイプ２９側を支点として柱５を上部横架材１及び下部横架材３がなす平面内において斜めに配置した状態から下部ほぞ穴１７側に回動して、下部ほぞパイプ３１を下部ほぞ穴１７に嵌合して、柱頭柱脚を両横架材１，３に着脱可能に接合するので、建築時に柱を横架材に接合する際の労力を低減することが可能となる。また、建築終了後、リフォームや増改築等により柱５を移設、新設、撤去等しなければならない場合において、両横架材１，３を取り外したり、柱５を切断したりすることなく、柱５を取り外すことが可能となる。
【図面の簡単な説明】
【００３０】
【図１】実施形態１の柱と横架材との分解組立図である。
【図２】同上の作用図である。
【図３】図２における上部ほぞと上部ほぞ穴との係合部付近の拡大断面図である。
【図４】横架材に設けられたほぞ穴の別の実施態様を示した斜視図である。
【図５】実施形態２の柱と横架材との分解組立側面図である。
【符号の説明】
【００３１】
１  上部横架材
３  下部横架材
５  柱
９  上部ほぞ
１３  下部ほぞ
１５  上部ほぞ穴
１７  下部ほぞ穴
２３，２５，４３  固定材
２９  上部ほぞパイプ
３１  下部ほぞパイプ
【図１】
2005155279.tif 000003
【図２】
2005155279.tif 000004
【図３】
2005155279.tif 000005
【図４】
2005155279.tif 000006
【図５】
2005155279.tif 000007